(57)【要約】【課題】表示部に表示される画像のがたつきを抑制しながら、表示異常が起こるのを抑制することが可能な表示装置を提供する。【解決手段】この表示装置１００は、複数の画素５がマトリクス状に配置され、画素５の配列方向と異なる方向に延びる固定画像パターン５１を表示する部分を含む表示部４と、画素５に設けられるブラックマトリクス３２とを備え、ブラックマトリクス３２は、平面的に見て、表示部４に表示される固定画像パターン５１の輪郭に沿った形状に形成されている。【選択図】図７
2010044293.tif 000002
【特許請求の範囲】
【請求項１】
複数の画素がマトリクス状に配置され、前記画素の配列方向と異なる方向に延びる固定画像パターンを表示する部分を含む表示部と、前記画素に設けられるブラックマトリクスとを備え、
前記ブラックマトリクスは、平面的に見て、前記表示部に表示される前記固定画像パターンの輪郭に沿った形状に形成されている、表示装置。
【請求項２】
前記ブラックマトリクスは、平面的に見て、前記画素の表示領域の一部を覆うような形状に形成されている、請求項１に記載の表示装置。
【請求項３】
前記複数の画素のうち、前記表示部に表示される前記固定画像パターンの輪郭の近傍に配置される画素に設けられる前記ブラックマトリクスの外形線が、平面的に見て、前記表示部に表示される前記固定画像パターンの輪郭に沿うような形状に形成されている、請求項１または２に記載の表示装置。
【請求項４】
前記ブラックマトリクスは、前記固定画像パターンの表示部分を挟むように前記固定画像パターンの両側に配置されているとともに、前記固定画像パターンの両側に配置される前記ブラックマトリクスの前記固定画像パターンの表示部分側の外形線が、前記固定画像パターンの輪郭に沿う形状に形成されている、請求項１〜３のいずれか１項に記載の表示装置。
【請求項５】
前記固定画像パターンに対応する画素以外の画素のブラックマトリクスは、平面的に見て、前記画素の配列方向に延びるとともに、前記画素の境界線に沿うような形状に形成されている、請求項１〜４のいずれか１項に記載の表示装置。
【請求項６】
前記固定画像パターンは、曲線状に延びる曲線状部、または、斜め方向に直線状に延びる斜め直線状部を含み、前記ブラックマトリクスの外形線は、平面的に見て、前記曲線状部、または、前記斜め直線状部の輪郭に沿うように曲線状または斜め直線状に形成されている、請求項１〜５のいずれか１項に記載の表示装置。
【請求項７】
前記画素は、薄膜トランジスタと、前記薄膜トランジスタが形成される第１基板と、前記第１基板と対向するように設けられる第２基板とを含み、前記ブラックマトリクスは、前記第１基板および前記第２基板の一方側に設けられている、請求項１〜６のいずれか１項に記載の表示装置。
【請求項８】
前記画素は、薄膜トランジスタと、画素電極と、共通電極と、互いに対向するように配置される第１基板および第２基板とを含み、前記画素電極および前記共通電極は、前記第１基板および前記第２基板のうち、前記薄膜トランジスタが形成される側に設けられている、請求項１〜７のいずれか１項に記載の表示装置。
【請求項９】
前記画素は、液晶に電圧が印加されない状態で、黒表示を行うように構成されている、請求項１〜８のいずれか１項に記載の表示装置。
【請求項１０】
前記画素は、白黒表示を行うように構成されており、
前記固定画像パターンの輪郭に沿って形成された前記ブラックマトリクスを利用して、前記固定画像パターンの輪郭線近傍の黒表示を行うように構成されている、請求項１〜９のいずれか１項に記載の表示装置。
【発明の詳細な説明】
【技術分野】
【０００１】
本発明は、表示装置に関し、特に、複数の画素がマトリクス状に配置された表示装置に関する。
【背景技術】
【０００２】
従来、複数の画素がマトリクス状に配置された表示装置が知られている（たとえば、特許文献１参照）。上記特許文献１に開示された表示装置は、表示領域（表示部）の最外周に位置する一部の画素の面積が、最外周よりも内側に位置する画素の面積よりも大きくなるように構成されている。表示領域の最外周を曲線状に表したい場合、通常の画素の平面的な形状は矩形状であるので、表示領域の最外周は曲線とならず、がたついた形状（階段状）となる。そこで、がたつきを隠すために表示領域の最外周を開口部を有する縁板で覆うことにより、視認者には、がたつきが見えないように構成されている。つまり、平面的に見て、縁板の開口部の外側に少なくとも１つの画素が隠れるように構成されている。このため、視認者が見ることが可能な表示領域が小さくなるという不都合がある。そこで、上記特許文献１に開示された表示装置では、表示領域の最外周に位置する一部の画素の面積を、最外周よりも内側に位置する画素の面積よりも大きくすることによって、縁板の開口部を小さくしなくても、縁板の開口部の近傍にがたつきが見えるのを抑制するように構成されている。
【特許文献１】特開２００６−３４９８１１号公報
【発明の開示】
【発明が解決しようとする課題】
【０００３】
しかしながら、上記特許文献１に記載の表示装置では、表示領域に配置される画素の面積が異なることにより、画素に含まれる画素電極などの大きさが画素毎に異なると考えられる。このため、画素容量や、その他の電気的なパラメータが画素毎に不均一になるので、フリッカやクロストークなどの表示異常が起きやすいという問題点がある。
【０００４】
この発明は、上記のような課題を解決するためになされたものであり、この発明の１つの目的は、表示部に表示される画像のがたつきを抑制しながら、表示異常が起こるのを抑制することが可能な表示装置を提供することである。
【課題を解決するための手段】
【０００５】
上記目的を達成するために、この発明の一の局面における表示装置は、複数の画素がマトリクス状に配置され、画素の配列方向と異なる方向に延びる固定画像パターンを表示する部分を含む表示部と、画素に設けられるブラックマトリクスとを備え、ブラックマトリクスは、平面的に見て、表示部に表示される固定画像パターンの輪郭に沿った形状に形成されている。
【０００６】
この一の局面による表示装置では、上記のように、ブラックマトリクスを、平面的に見て、表示部に表示される固定画像パターンの輪郭に沿った形状に形成することによって、固定画像パターンが曲線や斜め直線を含む場合でも、ブラックマトリクスが固定画像パターンの輪郭に沿って形成されるので、矩形状の画素により固定画像パターンを表示する場合のように曲線や斜め直線が、がたつくのを抑制することができる。これにより、滑らかな曲線や斜め直線を表示することができる。また、ブラックマトリクスを、平面的に見て、表示部に表示される固定画像パターンの輪郭に沿った形状に形成することによって、固定画像パターンに合わせて画素の形状を変化させて滑らかな曲線や斜め直線を表示する場合と異なり、個々の画素の形状は全て同じなので、画素容量や、その他の電気的なパラメータが画素毎に不均一になるのを抑制することができる。これにより、画素容量などの不均一に起因するフリッカやクロストークなどの表示異常が起こるのを抑制することができる。
【０００７】
上記一の局面による表示装置において、好ましくは、ブラックマトリクスは、平面的に見て、画素の表示領域の一部を覆うような形状に形成されている。このように構成すれば、ブラックマトリクスが矩形状の画素の輪郭に沿って画素間の境界領域に形成される場合と異なり、容易に、表示部に表示される固定画像パターンの曲線部などの輪郭に沿った形状のブラックマトリクスを形成することができる。
【０００８】
上記一の局面による表示装置において、好ましくは、複数の画素のうち、表示部に表示される固定画像パターンの輪郭の近傍に配置される画素に設けられるブラックマトリクスの外形線が、平面的に見て、表示部に表示される固定画像パターンの輪郭に沿うような形状に形成されている。このように構成すれば、固定画像パターンの輪郭をブラックマトリクスによって滑らかに黒表示することができる。
【０００９】
上記一の局面による表示装置において、好ましくは、ブラックマトリクスは、固定画像パターンの表示部分を挟むように固定画像パターンの両側に配置されているとともに、固定画像パターンの両側に配置されるブラックマトリクスの固定画像パターンの表示部分側の外形線が、固定画像パターンの輪郭に沿う形状に形成されている。このように構成すれば、ブラックマトリクスによって挟まれる固定画像パターンの部分において、白表示がされるとともに、ブラックマトリクスに覆われる部分により黒表示を行うことができる。
【００１０】
上記一の局面による表示装置において、好ましくは、固定画像パターンに対応する画素以外の画素のブラックマトリクスは、平面的に見て、画素の配列方向に延びるとともに、画素の境界線に沿うような形状に形成されている。このように構成すれば、容易に、固定画像パターン以外の部分において、画像のパターンを変化させることができる。
【００１１】
上記一の局面による表示装置において、好ましくは、固定画像パターンは、曲線状に延びる曲線状部、または、斜め方向に直線状に延びる斜め直線状部を含み、ブラックマトリクスの外形線は、平面的に見て、曲線状部、または、斜め直線状部の輪郭に沿うように曲線状または斜め直線状に形成されている。このように構成すれば、ブラックマトリクスが固定画像パターンの輪郭に沿って形成されるので、矩形状の画素により固定画像パターンを表示する場合と異なり、曲線状部または斜め直線状部が、がたつくのを抑制することができる。
【００１２】
上記一の局面による表示装置において、画素は、薄膜トランジスタと、薄膜トランジスタが形成される第１基板と、第１基板と対向するように設けられる第２基板とを含み、ブラックマトリクスを第１基板および第２基板の一方側に設けてもよい。
【００１３】
上記一の局面による表示装置において、好ましくは、画素は、薄膜トランジスタと、画素電極と、共通電極と、互いに対向するように配置される第１基板および第２基板とを含み、画素電極および共通電極は、第１基板および第２基板のうち、薄膜トランジスタが形成される側に設けられている。このように構成すれば、横方向の電界により液晶が駆動される、ＦＦＳ（Ｆｒｉｎｇｅ  Ｆｉｅｌｄ  Ｓｗｉｔｃｈｉｎｇ）方式またはＩＰＳ（Ｉｎ  Ｐｌａｎｅ  Ｓｗｉｔｃｈｉｎｇ）方式によって表示装置を駆動することができるので、縦方向の電界により液晶が駆動されるＶＡ（Ｖｅｒｔｉｃａｌ  Ａｌｉｇｎｍｅｎｔ）方式などの表示装置と比べて、黒色が表示される部分をより黒く表示することができる。
【００１４】
上記一の局面による表示装置において、好ましくは、画素は、液晶に電圧が印加されない状態で、黒表示を行うように構成されている。このように構成すれば、表示部に表示される固定画像パターンの背景部分を黒色にすることにより、背景部分に対応する画素では電圧を印加しなくても黒色が表示されるので、背景部分に対応する画素に電圧を印加しなくてもよい分消費電力を小さくすることができる。
【００１５】
上記一の局面による表示装置において、好ましくは、画素は、白黒表示を行うように構成されており、固定画像パターンの輪郭に沿って形成されたブラックマトリクスを利用して、固定画像パターンの輪郭線近傍の黒表示を行うように構成されている。ＲＧＢなどのカラーフィルタが設けられる副画素を用いてカラー表示を行う場合では、３つの副画素で１つの画素が構成されるので、固定画像パターンの曲線状部または斜め直線状部に対応する画素において、３つの副画素が部分的にブラックマトリクスに覆われる。このため、所望のカラー表示を行うことが困難となる。これに対して、画素を白黒表示とすることにより、表示される色は単色であるので、カラー表示の場合のような、所望の色の表示ができなくなることを防止することができる。
【発明を実施するための最良の形態】
【００１６】
以下、本発明の実施形態を図面に基づいて説明する。
【００１７】
図１は、本発明の一実施形態による表示装置が設けられる車のインパネの模式図である。図２は、本発明の一実施形態による表示装置（表示部）の平面図である。図３〜図７は、本発明の一実施形態による表示装置の構成を説明するための図である。図１〜図７を参照して、本発明の一実施形態による表示装置１００の構成について説明する。
【００１８】
本実施形態による車のインパネ（インストゥルメンタルパネル）１は、図１に示すように、中央部分に速度計２と、エンジンの回転数計３とが設けられている。速度計２および回転数計３の側方には、それぞれ、表示部４（表示装置１００）が設けられている。表示部４は、図２に一例として、ラジオなどの情報が表示されるように構成されているが、その他にも給油やエンジントラブル関係を示す情報について、表示部４に形成しても良い。
【００１９】
図２および図３に示すように、表示部４は、マトリクス状に配置される複数の画素５から構成されている。複数の画素５は、ゲート線６と信号線７とが交差する位置にそれぞれ設けられている。また、複数の画素５は、全て同じ矩形状を有する。なお、画素５は、ＦＦＳ（Ｆｒｉｎｇｅ  Ｆｉｅｌｄ  Ｓｗｉｔｃｈｉｎｇ）方式によって駆動されるように構成されている。そして、複数の画素５には、それぞれ、ボトムゲート型の薄膜トランジスタ（ＴＦＴ：Ｔｈｉｎ  Ｆｉｌｍ  Ｔｒａｎｓｉｓｔｏｒ）８が設けられている。
【００２０】
薄膜トランジスタ８（画素５）の断面構造としては、図４に示すように、ガラス基板１１上に、ゲート電極１２が設けられている。なお、ガラス基板１１は、本発明の「第１基板」の一例である。図３に示すように、ゲート電極１２は、平面的に見て、ゲート線６から矢印Ｙ方向（信号線７が延びる方向）側に突出するとともに、矢印Ｙ方向側に延びるように矩形状に形成されている。図４に示すように、ゲート電極１２上とガラス基板１１上とには、ゲート絶縁膜１３ａを含む絶縁膜１３が形成されている。ゲート絶縁膜１３ａを介してゲート電極１２と平面的に見て重なるようにａ−Ｓｉ層とｎ型の導電性を有するｎ＋Ｓｉ層との２層構造からなる半導体層１４が形成されている。
【００２１】
半導体層１４上には、ゲート電極１２および半導体層１４と平面的に見て重なるとともに、半導体層１４に電気的に接続されるソース電極１５およびドレイン電極１６が形成されている。また、平面的に見て、ソース電極１５とドレイン電極１６とに挟まれる半導体層１４の領域には、チャネル領域１４ａが形成される。
【００２２】
図３に示すように、ソース電極１５は、信号線７に電気的に接続されている。また、ドレイン電極１６は、コンタクト部１７を介して後述する画素電極２０と電気的に接続されている。
【００２３】
図４に示すように、ソース電極１５、ドレイン電極１６および絶縁膜１３を覆うように、保護膜としてのパッシベーション膜１８が形成されている。パッシベーション膜１８の表面上には、平坦化膜１９が形成されている。平坦化膜１９の表面上には画素電極２０が形成されている。なお、画素電極２０の一部は、コンタクトホール１８ａおよび１９ａを介して、コンタクト部１７において、ドレイン電極１６と電気的に接続されている。画素電極２０の表面上には、絶縁膜２１が形成されており、絶縁膜２１の表面上には、共通電極２２が形成されている。このように、画素電極２０および共通電極２２は、薄膜トランジスタ８が形成されるガラス基板１１側に配置されている。なお、共通電極２２は、図５に示すように、ゲート線６と平行な方向に複数のスリット２２ａが設けられている。
【００２４】
図４に示すように、ガラス基板１１と対向するように、ガラス基板３１が設けられている。なお、ガラス基板３１は、本発明の「第２基板」の一例である。また、第１実施形態では、ガラス基板３１の表面上には、ブラックマトリクス３２が形成されている。ガラス基板３１およびブラックマトリクス３２の表面上には、オーバーコート３３が形成されている。共通電極２２（絶縁膜２１）と、オーバーコート３３との間には、液晶層４１が設けられている。なお、本実施形態では、液晶層４１に含まれる液晶４２は、電圧が印加されていない状態において透過率が最小（黒表示）となる、ノーマリブラックである。
【００２５】
ＦＦＳ方式の表示装置１００（画素５）では、液晶４２に電圧が印加されない時には、液晶４２は、スリット２２ａの長辺に対して、所定の角度をなして交差するように配向されている。液晶４２に電圧が印加された時には、共通電極２２と画素電極２０との間において電界（図４の矢印Ａ）が発生することにより、液晶４２が画素電極２０に平行な面内で回転される。その結果、バックライトからの光が、液晶層４１を透過することにより、表示部４の表面に画像が表示されるように構成されている。
【００２６】
図２に示すように、表示部４には、表示部４に表示される画像の一例として、ラジオの周波数などの情報が表示されている。なお、本実施形態では、表示部４は、白黒表示を行うように構成されている。数字やアルファベットなどの文字情報は、マトリクス状に配置される画素５の透過率を最大（白表示）または最小（黒表示）にすることにより、表示されるように構成されている。数字やアルファベットの文字情報の周囲には、直線および曲線からなる固定画像パターン５１（図２および図６に示す、文字情報以外の白抜きの部分）が表示されている。この固定画像パターン５１は、固定されており、画像が変化することはない。
【００２７】
図６に示すように、固定画像パターン５１のうちの直線状部５１ａは、白表示の画素５（画素５ａ）が直線状に並べられることにより、直線として表示されている。ここで、本実施形態では、固定画像パターン５１のうち、曲線状に延びる曲線状部５１ｂ（図６に示す、斜線が設けられた画素５ｂ）では、図７に示すように、曲線状部５１ｂの輪郭に対応する領域に配置される画素５（画素５ｂ）のブラックマトリクス３２は、曲線状部５１ｂの輪郭に沿って、画素５（画素５ｂ）の表示領域の一部を覆うような形状に形成されている。つまり、本実施形態では、固定画像パターン５１の両側に配置されるブラックマトリクス３２の固定画像パターン５１の表示部分側の外形線３２１が、固定画像パターン５１の表示部分（白色に表示される部分）を挟むとともに、固定画像パターン５１の輪郭に沿う形状に形成されている。なお、固定画像パターン５１のうち、斜め方向に直線状に延びる斜め直線状部５１ｃ（図６参照）の輪郭に対応する領域に配置される画素５（画素５ｃ）のブラックマトリクス３２も、曲線状部５１ｂと同様に、斜め直線状部５１ｃの輪郭に沿って、画素５（画素５ｃ）の表示領域の一部を覆うような形状に形成されている。
【００２８】
また、本実施形態では、図７に示すように、曲線状部５１ｂおよび斜め直線状部５１ｃの輪郭に対応する領域以外の領域に配置される画素５（画素５ｄ）のブラックマトリクス３２は、画素５の境界線に沿うような形状に形成されている。具体的には、平面的に見て、ゲート線６、信号線７および薄膜トランジスタ８の上方を覆うように形成されている。つまり、本実施形態では、固定画像パターン５１の曲線状部５１ｂおよび斜め直線状部５１ｃの近傍の黒色の部分は、ブラックマトリクス３２によって黒く表示され、曲線状部５１ｂおよび斜め直線状部５１ｃ以外の黒色の部分は、画素５の透過率を最小にすることにより黒く表示されるように構成されている。なお、画素５の表示領域の全域が固定画像パターン５１の内側に含まれている画素５のブラックマトリクス３２は、画素５の境界線に沿うような形状に形成されている。
【００２９】
本実施形態では、上記のように、ブラックマトリクス３２を、平面的に見て、表示部４に表示される固定画像パターン５１の輪郭に沿った形状に形成することによって、固定画像パターン５１が曲線や斜め直線を含む場合でも、ブラックマトリクス３２が固定画像パターン５１の輪郭に沿って形成されるので、矩形状の画素５により固定画像パターン５１を表示する場合のように曲線や斜め直線が、がたつくのを抑制することができる。これにより、滑らかな曲線や斜め直線を表示することができる。また、固定画像パターン５１に合わせて画素５の形状を変化させて滑らかな曲線や斜め直線を表示する場合と異なり、個々の画素５の形状は全て同じなので、画素容量や、その他の電気的なパラメータが画素５毎に不均一になるのを抑制することができる。これにより、画素容量などの不均一に起因するフリッカやクロストークなどの表示異常が起こるのを抑制することができる。
【００３０】
また、本実施形態では、上記のように、ブラックマトリクス３２を、平面的に見て、画素５の表示領域の一部を覆うような形状に形成することによって、ブラックマトリクス３２が矩形状の画素５の輪郭に沿って画素５間の境界領域に形成される場合と異なり、容易に、表示部４に表示される固定画像パターン５１の曲線部などの輪郭に沿った形状のブラックマトリクス３２を形成することができる。
【００３１】
また、本実施形態では、上記のように、複数の画素５のうち、表示部４に表示される固定画像パターン５１の輪郭の近傍に配置される画素５に設けられるブラックマトリクス３２の外形線３２１を、平面的に見て、表示部４に表示される固定画像パターン５１の輪郭に沿うような形状に形成することによって、固定画像パターン５１の輪郭をブラックマトリクス３２によって滑らかに黒表示することができる。
【００３２】
また、本実施形態では、上記のように、ブラックマトリクス３２を、固定画像パターン５１の表示部分を挟むように固定画像パターン５１の両側に配置されているとともに、固定画像パターン５１の両側に配置されるブラックマトリクス３２の固定画像パターン５１の表示部分側の外形線３２１が、固定画像パターン５１の輪郭に沿う形状に形成することによって、ブラックマトリクス３２によって挟まれる固定画像パターン５１の部分において、白表示がされるとともに、ブラックマトリクス３２に覆われる部分により黒表示を行うことができる。
【００３３】
また、本実施形態では、上記のように、固定画像パターン５１に対応する画素５（画素５ｂ、画素５ｃ）以外の画素５（画素５ｄ）のブラックマトリクス３２を、平面的に見て、画素５の配列方向に延びるとともに、画素５の境界線に沿うような形状に形成することによって、容易に、固定画像パターン５１以外の部分において、画像のパターンを変化させることができる。
【００３４】
また、本実施形態では、上記のように、ブラックマトリクス３２の外形線３２１を、平面的に見て、曲線状部５１ｂ、または、斜め直線状部５１ｃの輪郭に沿うように曲線状または斜め直線状に形成することによって、ブラックマトリクス３２が固定画像パターン５１の輪郭に沿って形成されるので、矩形状の画素５により固定画像パターン５１を表示する場合と異なり、曲線状部５１ｂまたは斜め直線状部５１ｃが、がたつくのを抑制することができる。
【００３５】
また、本実施形態では、上記のように、画素電極２０および共通電極２２を、薄膜トランジスタ８が形成されるガラス基板１１側に設けることによって、表示装置１００を横方向の電界により液晶４２が駆動される、ＦＦＳ方式によって駆動することができるので、縦方向の電界により液晶が駆動されるＶＡ方式などの表示装置と比べて、黒色が表示される部分をより黒く表示することができる。
【００３６】
また、本実施形態では、上記のように、画素５を、液晶４２に電圧が印加されない状態で、黒表示を行うように構成することによって、表示部４に表示される固定画像パターン５１の背景部分に対応する画素５（画素５ｄ）では電圧を印加しなくても黒色が表示されるので、背景部分に対応する画素５（画素５ｄ）に電圧を印加しなくてもよい分消費電力を小さくすることができる。
【００３７】
また、本実施形態では、上記のように、画素５は、白黒表示を行うように構成されており、固定画像パターン５１の輪郭に沿って形成されたブラックマトリクス３２を利用して、固定画像パターン５１の輪郭線近傍の黒表示を行うように構成する。ＲＧＢなどのカラーフィルタが設けられる副画素を用いてカラー表示を行う場合では、３つの副画素で１つの画素が構成されるので、固定画像パターン５１の曲線状部５１ｂまたは斜め直線状部５１ｃに対応する画素において、３つの副画素が部分的にブラックマトリクスに覆われる場合には、所望のカラー表示を行うことが困難となる。これに対して、本発明は、画素５を白黒表示とすることにより、表示される色は単色であるので、副画素毎の調整を考慮することなく、さらに画素容量の影響も少ないことから、制御を容易に行うことができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記実施形態では、画素電極上にスリットを有する共通電極が形成される例を示したが、本発明はこれに限らず、共通電極上にスリットを有する画素電極を形成してもよい。
【００４０】
また、上記実施形態では、画素電極上にスリットを有する共通電極が形成されるＦＦＳ方式の画素を用いる例を示したが、本発明はこれに限らず、櫛歯状の共通電極と櫛歯状の画素電極とを用いるＩＰＳ方式の画素を用いてもよい。
【００４１】
また、上記実施形態では、薄膜トランジスタが設けられないガラス基板上にブラックマトリクスが設けられる例を示したが、本発明はこれに限らず、薄膜トランジスタが設けられるガラス基板側にブラックマトリクスを設けてもよい。
【００４２】
また、上記実施形態では、固定画像パターンの曲線状部または斜め直線状部の線状の輪郭線に本発明のブラックマトリクスを適用する例を示したが、本発明はこれに限らず、固定的に表示される文字や数字の曲線状部または斜め直線状部に本発明のブラックマトリクスを適用してもよい。
【図面の簡単な説明】
【００４３】
【図１】本発明の一実施形態による表示装置が設けられる車のインパネの模式図である。
【図２】本発明の一実施形態による表示装置（表示部）の平面図である。
【図３】本発明の一実施形態による画素の平面図である。
【図４】本発明の一実施形態による表示装置の画素の断面図である。
【図５】本発明の一実施形態による表示装置の画素の平面図である。
【図６】本発明の一実施形態による表示装置（表示部）の平面図である。
【図７】本発明の一実施形態による表示装置のブラックマトリクスの平面図である。
【符号の説明】
【００４４】
４  表示部
５  画素
８  薄膜トランジスタ
１１  ガラス基板（第１基板）
２０  画素電極
２２  共通電極
３１  ガラス基板（第２基板）
３２  ブラックマトリクス
４２  液晶
５１  固定画像パターン
５１ｂ  曲線状部
５１ｃ  斜め直線状部
３２１  外形線
【図１】
2010044293.tif 000003
【図２】
2010044293.tif 000004
【図３】
2010044293.tif 000005
【図４】
2010044293.tif 000006
【図５】
2010044293.tif 000007
【図６】
2010044293.tif 000008
【図７】
2010044293.tif 000009